(57)【要約】【課題】  重心移転構造を有するゴルフシューズを提供する。【解決手段】  重心移転構造を有するゴルフシューズは、ゴルフをするプレーヤーが足に着用するものであり、２個の靴部材１０を有する。靴部材１０右側には第一増高部１１が設置される。プレーヤーが足に着用すると、第一増高部１１を通して、足を補助し、重心を目標方向へと傾けさせる。よって、プレーヤーがスイングを行う時には、プレーヤーの重心は右足から左足左後かかと外側へと移転し、連動して身体正面を目標方向へと回転させ、同時に手のスイングを連動し、プレーヤーは重心移転の方式でスイングでき、打球を確実にし、かつ省力化し、怪我のリスクを低下させられる。【選択図】  図１
0003215071.tif 000002
【実用新案登録請求の範囲】
【請求項１】
重心移転構造を有するゴルフシューズであって、
２個の靴部材を有し、
前記２個の靴部材の右側には、第一増高部が設置され、
前記第一増高部を通して、プレーヤーを補助し、スイング時に重心を目標方向へと傾けさせ、フィニッシュ時に重心を左後かかと外側へと移転させることを特徴とするゴルフシューズ。
【請求項２】
各前記靴部材の底面は、かかと位置に第二増高部が設置されることを特徴とする請求項１に記載のゴルフシューズ。
【請求項３】
各前記靴部材と前記第一増高部の高さの合計は、１ｃｍ〜５ｃｍであることを特徴とする請求項１に記載のゴルフシューズ。
【請求項４】
前記第一増高部の幅は、３ｃｍ〜４ｃｍであり、
各前記靴部材の厚さは、０．５ｃｍ〜２ｃｍであり、
前記第一増高部の厚さは、０．５ｃｍ〜４．５ｃｍであることを特徴とする請求項３に記載のゴルフシューズ。
【請求項５】
前記第二増高部と各前記靴部材の厚さの合計は、１ｃｍ〜５ｃｍであることを特徴とする請求項２に記載のゴルフシューズ。
【請求項６】
前記２個の靴部材は、それぞれ左足靴及び右足靴であり、
前記左足靴は、足部の足弓位置に、さらに足弓増高部が設置され、
各前記靴部材、前記第一増高部及び前記足弓増高部の高さの合計は、１ｃｍ〜５ｃｍであることを特徴とする請求項１に記載のゴルフシューズ。
【請求項７】
前記左足靴の、前記足弓増高部の厚さは、０．５ｃｍ〜４．５ｃｍであることを特徴とする請求項６に記載のゴルフシューズ。
【請求項８】
各前記靴部材の頂面は、右側前縁位置において、さらに反作用力増高部が設置され、
各前記靴部材、前記反作用力増高部及び前記第一増高部の厚さの合計は、１ｃｍ〜５ｃｍであることを特徴とする請求項１に記載のゴルフシューズ。
【請求項９】
各前記靴部材は、インソール或いは靴底であることを特徴とする請求項１に記載のゴルフシューズ。
【考案の詳細な説明】
【技術分野】
【０００１】
本考案はゴルフシューズの構造に関し、特に重心移転構造を有するゴルフシューズに関する。
【背景技術】
【０００２】
ゴルフのスイングの動作順序は、セットアップ、バックスイング、ダウンスイング、フォロースイング及びフィニッシュの連続動作である。
セットアップの動作時、両足と目標線とは平行であり、重心は身体の両側に平均にかかり、これにより身体のバランス及び安定を保持する。
プレーヤーがバックスイングを行う時には、身体の重心は右足に移り、同時にプレーヤーの背中は目標に向かう。
プレーヤーがダウンスイングを行うと、身体の回転に従い、重心は右足から徐々に左足に移り、同時にプレーヤーの身体の正面は、目標方向に向かう。
フィニッシュ動作を完成した時には、身体の重心はほとんど左足上にある。
【考案の概要】
【考案が解決しようとする課題】
【０００３】
しかし、大多数のゴルフ初心者は、上半身の姿勢を保つことだけに気をとられており、足を基点に、重心移転のスイング動作を行うことを疎かにしている。
そのため、ボールは高く上がらず、或いは遠くへ飛ばず、また不注意で足が外に返り運動傷害を起こす恐れがある。
【０００４】
本考案は、上述の欠点に鑑みてなされたものであり、その目的は、従来のゴルフシューズに改良を加え、重心移転構造を有するゴルフシューズを提供することにある。
【課題を解決するための手段】
【０００５】
本考案は、ゴルフのプレーヤーがスイング動作時に重心を移転でき、プレーヤーはフィニッシュ時の重心を左後かかとの外側へと移転させるゴルフシューズの重心移転構造に関する。
【０００６】
本考案は、重心移転構造を有するルフシューズであって、２個の靴部材を有する。
該２個の靴部材の右側には、第一増高部が設置される。これにより、該第一増高部を通して、プレーヤーを補助し、スイング時に重心を目標方向へと傾けさせ、フィニッシュ時に重心を左後かかと外側へと移転させる。
【０００７】
本考案によるゴルフシューズの重心移転構造は、靴部材を足部に着用することで、第一増高部を通して、重心を目標方向へと傾けるよう補助し、プレーヤーがスイング動作を行うと、足部の重心は右足から左足左後かかと外側へと移転し、連動して身体正面を目標方向へと回転させ、同時に手のスイングを連動し、プレーヤーは重心移転の方式でスイングでき、打球を確実にし、かつ省力化し、怪我のリスクを低下させられる。
【図面の簡単な説明】
【０００８】
【図１】本考案の実施形態の平面図である。
【図２】図１の２−２線でカットした断面図である。
【図３】図１の３−３線でカットした断面図である。
【図４】図１の４−４線でカットした断面図である。
【図５】図１の５−５線でカットした断面図である。
【図６】本考案によるダウンスイング時の使用模式図である。
【図７】本考案によるフィニッシュ時の使用模式図である。
【考案を実施するための形態】
【０００９】
（一実施形態）
本考案による重心移転構造を有するゴルフシューズの実施形態を、平面図、２−２線でカットした断面図、３−３線でカットした断面図、４−４線でカットした断面図、５−５線でカットした断面図である図１〜図５に示す。ゴルフシューズは、２個の靴部材１０を有する。
【００１０】
２個の靴部材１０は、インソール或いは靴底である。本実施形態ではインソールを例とする。
各靴部材１０の右側底面には、第一増高部１１が設置され、第一増高部１１の幅は、約３ｃｍ〜４ｃｍである。
靴部材１０と第一増高部１１の高さの合計は、約１ｃｍ〜５ｃｍであり、また靴部材１０の厚さは、約０．５ｃｍ〜２ｃｍであり、第一増高部１１の厚さは、約０．５ｃｍ〜４．５ｃｍである。
また、各靴部材１０の頂面は、右側前縁位置において、さらに反作用力増高部１３が設置される。
靴部材１０、反作用力増高部１３及び第一増高部１１の厚さの合計は、約１ｃｍ〜５ｃｍであり、同時に各靴部材１０の底面は、かかと位置に第二増高部１２が設置される。
第二増高部１２と靴部材１０の厚さの合計は、約１ｃｍ〜５ｃｍである。
同時に、２個の靴部材１０は、それぞれ左足靴１４及び右足靴１５である。
左足靴１４は、足部の足弓位置に、さらに足弓増高部１４１が設置され、左足靴１４の、足弓増高部１４１の厚さは、約０．５ｃｍ〜４．５ｃｍである。
また、靴部材１０、第一増高部１１及び足弓増高部１４１の高さの合計は、約１ｃｍ〜５ｃｍである。
【００１１】
本考案の使用模式図である図６及び図７に示す通り、本実施形態ではインソールを例とする。
２個の靴部材１０は、ゴルフシューズ内にそれぞれ装着される。
靴部材１０により、ゴルフを行うプレーヤーがスイングを行う時、第一増高部１１を通して、プレーヤーの重心が目標方向に傾くよう補助する。
プレーヤーがダウンスイングする時、右足靴１５の第一増高部１１を通して、プレーヤーの重心は、右足の左前足掌の外側から左足に移転する。
プレーヤーがフォロースイングする時には、さらに左足靴１４の第一増高部１１を通して、プレーヤーの重心は、左足右側から左足左側に移転し、プレーヤーの身体正面が目標方向へと回転するよう連動する。
同時に、手のスイングを連動し、これによりゴルフボールは正確に打ち出される。
最後に、プレーヤーがフィニッシュする時の重心を、左足左後かかと外側に移転する。
これにより、本考案の重心移転構造を通して、プレーヤーは重心移転の方式でスイングでき、打球を確実にし、かつ省力化し、怪我のリスクを低下させられる。
【００１２】
本考案はさらに、かかと位置に、第二増高部１２を設置し、しかも靴部材１０と第二増高部１２の厚さの合計は、約１ｃｍ〜５ｃｍである。これにより、第一増高部１１及び第二増高部１２を通して、プレーヤーがダウンスイングする時、プレーヤーの重心は、先ず右足の左前足掌の外側にあり、次に重心は左足に移転する。
プレーヤーがフィニッシュする時には、プレーヤーの重心は、左足左後かかと外側に移転する。
【００１３】
各靴部材１０の頂面は、右側前縁位置において、さらに反作用力増高部１３が設置される。
反作用力増高部１３と第一増高部１１の厚さの合計は１ｃｍ〜５ｃｍである。
これにより、プレーヤーがスイングする時、プレーヤーの足裏は反作用力増高部１３を踏み、地面は反作用力を生じる。
並びに第一増高部１１及び第二増高部１２の重心移転構造に対応し、打球の力量を高めることができる。
同時に、プレーヤーが長時間靴部材１０を履いてスイングする時には、反作用力増高部１３により足は疲れにくい。
【００１４】
本考案の２個の靴部材１０は、それぞれ左足靴１４及び右足靴１５である。
左足靴１４は、足部の足弓位置に、さらに足弓増高部１４１が設置される。左足靴１４の、足弓増高部１４１の厚さは、約０．５ｃｍ〜４．５ｃｍである。
靴部材１０、第一増高部１１及び足弓増高部１４１の高さの合計は、約１ｃｍ〜５ｃｍである。これにより、足弓増高部１４１は、足部の足弓にサポートを提供し、足部の力の伝動を増強し、足裏の圧力を平均にする。
【００１５】
本考案において、各靴部材１０はインソールを例とするがこれに制限するものではない。
各靴部材１０はゴルフシューズとすることもでき、シューズ内には、第一増高部１１、第二増高部１２及び該反作用力増高部１３が設置される。プレーヤーがスイング動作を行う時、シューズの補助を通して、重心移転と地面反作用力の動作を行い、打球を確実にし、かつ省力化し、怪我のリスクを低下させられる。
【００１６】
前述した本考案の実施形態は本考案を限定するものではなく、よって、本考案により保護される範囲は実用新案登録請求の範囲を基準とする。
【符号の説明】
【００１７】
１０  靴部材、
１１  第一増高部、
１２  第二増高部、
１３  反作用力増高部、
１４  左足靴、
１４１  足弓増高部、
１５  右足靴。
【図１】
0003215071.tif 000003
【図２】
0003215071.tif 000004
【図３】
0003215071.tif 000005
【図４】
0003215071.tif 000006
【図５】
0003215071.tif 000007
【図６】
0003215071.tif 000008
【図７】
0003215071.tif 000009